(57)【特許請求の範囲】
【請求項１】
印刷対象物に対して片面印刷または両面印刷を行う印刷装置であって、
ホストコンピュータから送信される指示であり、当該印刷装置の画像記憶部に定義された画像データを印刷する画像データ印刷指示を実行可能か否か判定する画像データ実行判定部と、
前記画像データ実行判定部が、前記画像データ印刷指示を実行可能であると判定するまで、前記印刷対象物の一方の面のデータが展開される第１のデータ記憶領域に前記印刷データを展開し、前記画像データ実行判定部が、前記画像データ印刷指示を実行可能であると判定した場合に、前記印刷対象物の他方の面のデータが展開される第２のデータ記憶領域に前記印刷データを展開する印刷データ展開部と、
前記画像データ実行判定部が、前記画像データ印刷指示が実行可能であると判定した場合は、印刷開始指示に応じて、前記一方の面のデータと前記他方の面のデータとの何れかに前記画像データを含んだ前記両面印刷を実行し、実行不可能あるいは前記画像データ印刷指示がない場合は前記片面印刷を実行する印刷部と、
を有することを特徴とする印刷装置。
【請求項２】
前記印刷対象物である連続紙をカットするカット指示に応じて前記連続紙をカットするカット部、を有し、
前記印刷開始指示は前記カット指示であることを特徴とする請求項１に記載の印刷装置。
【発明の詳細な説明】
【技術分野】
【０００１】
本発明は、印刷対象物に対する片面印刷及び両面印刷が可能な印刷装置及び印刷装置の制御方法に関する。
【背景技術】
【０００２】
印刷用紙の両面に印刷可能な印刷装置が提案されている（例えば、特許文献１及び特許文献２参照）。特許文献１及び特許文献２には、ホストコンピュータが両面印刷を指示するとページ通しＮｏを更新するページ通しＮｏ更新部と、ページ通しＮｏが奇数か偶数かを判定する奇数ページ・偶数ページ判定部と、ページ通しＮｏが奇数の場合に用紙表面への印刷を行い、表面印刷が終わった用紙を一旦中間トレイに格納する奇数ページ処理部と、ページ通しＮｏが偶数の場合に偶数ページ用の印刷コマンド列の先頭アドレスと長さを制御テーブルに設定する偶数ページ処理部と、中間トレイに格納されている表面印刷済みの用紙に対して、各偶数ページについての裏面印刷を行う裏面印刷処理部と、を備えた印刷システムが記載されている。
【０００３】
上記印刷システムにおいて、両面印刷を実行する場合は予めホストコンピュータから両面印刷指定コマンドによって両面印刷を指示する。表面印刷処理の実行中に、中間トレイの格納容量を超える、又は片面の文書の終了を検出すると、表面印刷処理から裏面印刷処理へ切り替える。つまり、片面印刷と両面印刷とを切り替えるには、ホストコンピュータからコマンドによって指示する必要がある。
また、印刷装置のディップスイッチのオン／オフによって両面印刷あるいは片面印刷の切り替えを行うものも提案されている。
【０００４】
【特許文献１】特開平０３−０２７４３４号公報
【特許文献２】特開平０４−００１０６７号公報
【発明の開示】
【発明が解決しようとする課題】
【０００５】
しかしながら、このような切り替え方法だと、印刷処理を実行する度に、オペレータが設定変更を行わなければならない。
例えば、連続紙に対して印刷するようなレシート印刷を行う場合には、会計ごとに発行されるレシート長は異なる。購入商品が多い場合は発行されるレシート長は長くなり、少ない場合は短くなる。購入商品が多い場合は両面印刷を行ってレシート長を短くしたい。従来の方法では、両面印刷と片面印刷とを切り替える度にオペレータが設定変更を行わなければならず煩わしい。特に、迅速な処理が求められるレシート発行業務に適用するには課題となるところである。
【０００６】
また近年では、顧客の視覚に訴えてインパクトを与えるため、文字データとロゴマークをあわせて印刷する場合が多い。両面印刷を行う場合も、ロゴマークを挿入できるようにしたい。ロゴマークを挿入できれば、顧客に対してアピールする効果が得られるとともに、見易いレシートを発行することができる。
【０００７】
本発明は、上記課題を解決するためになされたものであって、片面印刷及び両面印刷が可能な印刷装置において、印刷処理の実行前に印刷方法を設定しなくても、両面印刷と片面印刷とを印刷データの内容に応じて自在に切り替えることができ、両面印刷においてロゴマークを挿入しても、より見やすい印刷結果を得ることができる印刷装置及び印刷装置の制御方法を提供することを目的とする。
【課題を解決するための手段】
【０００８】
上記課題を解決することのできる本発明は、印刷対象物に対して片面印刷または両面印刷を行う印刷装置であって、
ホストコンピュータから送信される指示であり、当該印刷装置の画像記憶部に定義された画像データを印刷する画像データ印刷指示を実行可能か否か判定する画像データ実行判定部と、
前記画像データ実行判定部が、前記画像データ印刷指示が実行可能であると判定した場合は前記画像データを含む前記両面印刷を実行し、実行不可能あるいは前記画像データ印刷指示がない場合は前記片面印刷を実行する印刷部と、を有することを特徴とする。
【０００９】
また、上記課題を解決することのできる本発明は、印刷対象物に対して片面印刷または両面印刷を行う印刷装置の制御方法であって、
ホストコンピュータから送信される指示であり、当該印刷装置の画像記憶部に定義された画像データを印刷する画像データ印刷指示を実行可能か否か判定する判定ステップと、
前記判定ステップにおいて、前記画像データ印刷指示を実行可能であると判定した場合は前記画像データを含む前記両面印刷を実行し、実行不可能あるいは前記画像データ印刷指示がない場合は前記片面印刷を実行する印刷ステップと、を有することを特徴とする。
【００１０】
上記構成によれば、ホストコンピュータから送信される画像データ印刷指示が実行可能である場合は、画像データを含む両面印刷を実行し、画像データ印刷指示が実行不可能である場合は片面印刷を実行する。したがって、印刷処理の実行前に印刷方法を設定しなくても、両面印刷と片面印刷とを画像データ印刷指示が実行可能か否かに応じて自在に切り替えることができる。また、画像データ印刷指示に応じて、両面印刷においても画像を挿入することができるので、より見やすい印刷結果を得ることができる。さらに、両面印刷を行うことによって連続紙の節約ができ、連続紙の交換頻度を低減させることができる。
【００１１】
また、本発明の印刷装置は、前記ホストコンピュータから送信される印刷データのうち、前記印刷対象物の一方の面のデータが展開される第１のデータ記憶領域と、
前記印刷データのうち、前記印刷対象物の他方の面のデータが展開される第２のデータ記憶領域と、
前記画像データ実行判定部が、前記画像データ印刷指示を実行可能であると判定するまで前記第１のデータ記憶領域に前記印刷データを展開し、
前記画像データ実行判定部が、前記画像データ印刷指示を実行可能であると判定した場合に、前記第２のデータ記憶領域に前記印刷データを展開する印刷データ展開部と、を有し、
前記印刷部は、印刷開始指示に応じて、前記一方の面のデータと前記他方の面のデータとの何れかに前記画像データを含んだ両面印刷を同時に実行することを特徴とする。
【００１２】
また、本発明の印刷装置の制御方法は、前記判定ステップにおいて、前記画像データ印刷指示を実行可能であると判定するまで前記印刷対象物の一方の面のデータが展開される第１のデータ記憶領域に前記印刷データを展開し、
前記判定ステップにおいて、前記画像データ印刷指示を実行可能であると判定した場合に、前記印刷データのうち、前記印刷対象物の他方の面のデータが展開される第２のデータ記憶領域に前記印刷データを展開する印刷データ展開ステップと、を有し、
前記印刷ステップにおいて、印刷開始指示に応じて、前記一方の面のデータと前記他方の面のデータとの何れかに前記画像データを含んだ両面印刷を同時に実行することを特徴とする。
【００１３】
上記構成によれば、印刷処理の実行前に印刷方法を設定しなくても、両面印刷と片面印刷とを画像データ印刷指示を実行可能か否かに応じて自在に切り替えることができ、特に両面印刷の場合は、印刷対象物の両面に対して同時に印刷を行うので、印刷対象物の一方の面に印刷を行った後、印刷対象物の他方の面に印刷を行う場合と比べて、短時間で印刷を行うことができるので、使用電力量を低減することができる。
【００１４】
また、本発明の印刷装置は、前記印刷対象物である連続紙をカットするカット指示に応じて前記連続紙をカットするカット部、を有し、前記印刷開始指示は前記カット指示であることを特徴とする。
【００１５】
上記構成によれば、印刷開始指示のみで印刷とカットが行われるので、印刷開始指示とカット指示の両方を使う必要がなく、コマンド入力の省力化が図れる。
【発明を実施するための最良の形態】
【００１６】
以下、本発明を実施するための好適な実施の形態について、図面を参照して詳細に説明する。
【００１７】
図１は、本発明の一実施の形態に係る印刷装置の概略構成を示すブロック図である。図１に示すように、本実施の形態の印刷装置１０は、ホストコンピュータ２０からの印刷指示に応じて印刷対象物（本実施形態ではロール紙のような連続紙）に対して片面印刷または両面印刷を行うラインサーマルプリンタである。
【００１８】
本実施の形態の印刷装置１０は、データ受信部１０１と、画像データ実行判定部１０２と、印刷データ展開部１０４と、印刷データ記憶部１０５と、画像データ記憶部１０７(画像記憶部)と、印刷部１０６とを備えている。データ受信部１０１は、ホストコンピュータ１０から送信される印刷データを受信して印刷データ展開部１０４に入力する。また、データ受信部１０１は、受信した印刷データを解析して、画像データ印刷指示ＣＡが含まれていれば、その指示を画像データ実行判定部１０２に入力する。また、印刷データを解析した結果、印刷開始指示ＣＢが含まれていれば、その指示を印刷部１０６に入力する。
【００１９】
画像データ実行判定部１０２は、データ受信部１０１から画像データ記憶部１０７に画像データを定義する画像データ定義指示ＣＤが入力されると、画像データ定義指示ＣＤを実行可能か否か判定する。画像データ定義指示ＣＤは、キーコードと、画像データのデータサイズ、色及び実際の定義データとを関連付けて画像データ記憶部１０７に保存するための指示である。すなわち、ロゴなどの画像データを文字等のテキストデータとは別途保存するための指示である。ただし、キーコード、データサイズ、色及び定義データとして不正な値（定義域外のデータ）が入力された場合や、画像データ記憶部１０７の記憶容量を超えるデータサイズが指定された場合は、画像データ記憶部１０７に画像データは定義されない。
【００２０】
また、画像データ実行判定部１０２は、データ受信部１０１から画像データ印刷指示ＣＡが入力されると、画像データ印刷指示ＣＡを実行可能か否か判定する。画像データ印刷指示ＣＡは、画像データ記憶部１０７に定義されている画像データを印刷する指示である。すなわち、画像データ定義指示ＣＤによって定義したキーコードと、印刷する際の縦横の倍率とを指定することで、キーコードと関連付けて定義されたデータサイズ、色及び定義データを画像データ記憶部１０７から呼び出し、指定された倍率で画像データを印刷する。ただし、キーコードや縦横の倍率として不正な値（定義域外のデータ）が入力された場合や、画像データ記憶部１０７に画像データが定義されていない場合は、画像データ印刷指示ＣＡを実行不可能として画像データは印刷されない。
【００２１】
印刷データ展開部１０４は、画像データ実行判定部１０２が、画像データ印刷指示ＣＡを実行可能であると判定するまで、印刷データ記憶部１０５の第１のデータ記憶領域１０５ａにホストコンピュータ２０からの印刷データを展開する。画像データ実行判定部１０２が、画像データ印刷指示ＣＡを実行可能であると判定すると、印刷データ記憶部１０５の第２のデータ記憶領域１０５ｂにホストコンピュータ２０からの印刷データを展開する。すなわち、印刷データ展開部１０４は、画像データ印刷指示ＣＡを実行可能であると判定されるまで、ホストコンピュータ２０からの印刷データを第１のデータ記憶領域１０５ａに展開し、画像データ印刷指示ＣＡを実行可能であると判定されると、それに続く印刷データを第２のデータ記憶領域１０５ｂに展開する。
【００２２】
印刷データ記憶部１０５は、上述したように第１のデータ記憶領域１０５ａと第２のデータ記憶領域１０５ｂを有している。本実施の形態では、第１のデータ記憶領域１０５ａには、印刷データのうち、印刷対象物である連続紙３０の一方の面に印刷を行うためのデータを展開し、第２のデータ記憶領域１０５ｂには、印刷データのうち、連続紙３０の他方の面に印刷を行うためのデータを展開するようにしている。印刷データ記憶部１０５にはＲＡＭ等の揮発性メモリが用いられる。
【００２３】
画像データ記憶部１０７は、連続紙３０にロゴを印刷するための画像データを記憶する。画像データ記憶部１０７は、ＥＰＲＯＭ、ＥＥＰＲＯＭ等の不揮発性メモリであっても、ＲＡＭ等の揮発性メモリであってもよい。不揮発性メモリであれば、印刷装置１０の電源がオフされても、画像データ定義指示ＣＤによって定義された画像データは残存するため、再び画像データを定義する必要がない。また、同じキーコードで新たな画像データを再定義することも可能となる。この時、定義成立すれば以前の画像データは抹消され、不成立の場合は以前の画像データが保持される。一方、揮発性メモリであれば、印刷装置１０の電源がオフされると、画像データ定義指示ＣＤによって定義された画像データは消滅するが、画像データ定義指示ＣＤによってあらたな画像データを定義することができる。
【００２４】
印刷部１０６は、連続紙３０を挟む形で対向配置された２つの印刷ヘッド１０６１ａ、１０６１ｂと、連続紙３０をカットするカット部１０６２とを有する。印刷部１０６は、２つの印刷ヘッド１０６１ａ、１０６１ｂのうち、印刷ヘッド１０６１ａで第１のデータ記憶領域１０５ａに展開されたデータに基づき連続紙３０の一方の面に対して印刷を行い、印刷ヘッド１０６１ｂで第２のデータ記憶領域１０５ｂに展開されたデータに基づき連続紙３０の他方の面に対して印刷を行う。
【００２５】
印刷ヘッド１０６１ａ、１０６１ｂにはラインサーマル式の印刷ヘッドが用いられ、印刷ヘッドの１ライン分の印刷を行うと１ライン分に相当する搬送量だけ連続紙３０を搬送する。１ライン分の印刷処理と搬送処理とを繰り返し、連続紙３０の両面に同時に連続印刷を行う。
また、片面印刷を実行する場合には、印刷ヘッド１０６１ａ、１０６１ｂのいずれか一方を駆動させて片面印刷を実行する。
なお、連続紙３０として感熱紙が用いられる。連続紙３０は帯状の用紙を円筒状に巻回したものであり、印刷部１０６に装着して使用される。
【００２６】
本実施形態において印刷部１０６は、ホストコンピュータ２０からの印刷開始指示ＣＢに応じて、連続紙３０の一方の面のデータと他方の面のデータとのいずれかに画像データ記憶部１０７に記憶された画像データを含んだ両面印刷を同時に実行する。
一方、上述したように、画像データ実行判定部１０２が、画像データ印刷指示ＣＡを実行不可能と判定した場合や画像データ印刷指示ＣＡが無かった場合は、画像データを含まない片面印刷を実行する。
【００２７】
ここでは、印刷開始指示ＣＢは、連続紙３０をカットするカット指示ＣＣである。印刷部１０６は、画像データ実行判定部１０２が画像データ印刷指示ＣＡを実行可能と判定した場合で、カット指示ＣＣを受信すると、第１のデータ記憶領域１０５ａに展開された一方の面のデータと第２のデータ記憶領域１０５ｂに展開された他方の面のデータに、画像データを含めた両面印刷を同時に行う。
また、印刷部１０６は、印刷開始指示となるカット指示ＣＣを受信する前に、画像データ実行判定部１０２が画像データ印刷指示ＣＡを実行不可能と判定した場合、あるいは画像データ印刷指示ＣＡを受信しなかった場合は、既に第１のデータ記憶領域１０５ａに展開されている一方の面のデータに基づき画像データを含まない片面印刷を行う。また、印刷部１０６は、片面印刷または両面印刷を行った後、カット部１０６２を制御して連続紙３０をカットする。
【００２８】
次に、本実施の形態の印刷装置１０の動作を説明する。図２は、本実施形態の印刷装置の印刷処理を示すフローチャートである。
まず、データ記憶部１０５の第１のデータ記憶領域１０５ａの初期化を行い（ステップＳ１１）、ホストコンピュータ２０から送られてきた印刷データを受信し（ステップＳ１２）、データ解析を行って印刷データ記憶部１０５の第１の記憶領域１０５ａに展開する（ステップＳ１３）。
【００２９】
データ受信部１０１が画像データ印刷指示ＣＡを受信するまで、印刷データ展開部１０４はステップＳ１２、ステップＳ１３を繰り返し、第１の記憶領域１０５ａに対して印刷データを展開する(ステップＳ１４：Ｎｏ、ステップＳ１６：Ｎｏ)。データ受信部１０１が画像データ印刷指示ＣＡを受信すると、画像データ実行判断部１０４は画像データ印刷指示ＣＡを実行可能か否か判定する（ステップＳ１４）。上述したように、キーコードや縦横の倍率として不正な値（定義域外のデータ）が入力されていないか、画像データ記憶部１０７に画像データが定義されていないか、を判定する。
【００３０】
キーコードや縦横の倍率として正当な値が入力され、画像データ記憶部１０７に画像データが定義されている場合は、画像データ印刷指示ＣＡを実行可能であると判断して（ステップＳ１４：Ｙｅｓ）、データ記憶部１０５の第２のデータ記憶領域１０５ｂを初期化し（ステップＳ１５）ステップＳ１２に戻ってデータ受信を継続する。
【００３１】
画像データ印刷指示ＣＡを実行可能であると判断した場合は、画像データ印刷指示ＣＡに続く印刷データを第２のデータ記憶領域１０５ｂに展開する。すなわち、画像データ印刷指示ＣＡを受信するまでは、受信した印刷データを第１のデータ記憶領域１０５ａに展開し、画像データ印刷指示ＣＡを実行可能であると判定した場合は、画像データ印刷指示ＣＡに続く印刷データを第２のデータ記憶領域１０５ｂに展開する。印刷データの第２のデータ記憶領域１０５ｂへの展開は印刷開始指示であるカット指示ＣＣが送られてくるまで継続する。
【００３２】
カット指示ＣＣが送られてくると（ステップＳ１６：Ｙｅｓ）、連続紙３０の表面と裏面それぞれに対して画像データを含む両面印刷を同時に行う（ステップＳ１７）。すなわち、データ記憶部１０５の第１のデータ記憶領域１０５ａに展開された一方の面のデータと、画像データ記憶部１０７から読み出した画像データとを連続紙３０の表面に印刷すると共に、データ記憶部１０５の第２のデータ記憶領域１０５ｂに展開された他方の面のデータを連続紙３０の裏面に印刷する。両面印刷を行った後、連続紙３０に対してカットを実行する（ステップＳ１８）。連続紙３０に対するカットを実行した後、データ記憶部１０５の第１のデータ記憶領域１０５ａの初期化を行って（ステップＳ１９）、ステップＳ１２に戻り、ホストコンピュータ２０から引き続き送られてくる印刷データに対して上記同様の処理を繰り返し行う。
【００３３】
ここで、図３は、本処理による印刷結果の一例を示す図である。図３の（ａ）は表面側であり、（ｂ）は裏面側である。この例は、印刷結果１（第１のデータ記憶領域に展開された印刷データ）と、ロゴＸと、が連続紙３０の表面に印刷され、印刷結果２（第２のデータ記憶領域に展開された印刷データ）を連続紙３０の裏面に印刷してカットしたものである。本処理では両面印刷を行うので、連続紙３０をカットした連続紙片３０ａは、印刷結果１にロゴＸを足した長さとなる。
【００３４】
また、図４に示すようにロゴＸを裏面の最初に印刷することも可能である。すなわち、ステップＳ１７において、データ記憶部１０５の第１のデータ記憶領域１０５ａに展開された一方の面のデータを連続紙３０の表面に印刷すると共に、画像データ記憶部１０７から読み出した画像データと、データ記憶部１０５の第２のデータ記憶領域１０５ｂに展開された他方の面のデータと、を連続紙３０の裏面に同時に印刷する。ここで、ロゴXを表面の最後あるいは裏面の最初に印刷する切り分けは、画像データ印刷指示ＣＡのパラメータにより判別して、画像データ記憶部１０７の画像データを第1のデータ記憶領域１０５aあるいは第2のデータ記憶領域１０５bに展開する。
【００３５】
また、図５に示すようにロゴＹを連続紙３０の表面に印刷し、印刷データを裏面に印刷することも可能である。この場合、まずステップＳ１２においてホストコンピュータ２０からデータを受信し、ステップＳ１３において受信したデータが画像データ印刷指示ＣＡであると解析すると、ステップＳ１４において受信した画像データ印刷指示ＣＡが実行可能か否かを判定する。画像データ印刷指示ＣＡが実行可能であると判定すると、第２のデータ記憶領域１０５ｂを初期化し、画像データ印刷指示ＣＡに続いて受信する印刷データは第２のデータ記憶領域１０５ｂに展開される。すなわち、ステップＳ１７において、画像データ記憶部１０７から読み出した画像データを連続紙３０の表面に印刷すると共に、データ記憶部１０５の第２のデータ記憶領域１０５ｂに展開された印刷データを連続紙３０の裏面に印刷する。
【００３６】
一方、画像データ印刷指示ＣＡとして、キーコードや縦横の倍率として不正な値（定義域外のデータ）が入力された場合、あるいは画像データ記憶部１０７に画像データが定義されていない場合は、ステップＳ１４において画像データ印刷指示ＣＡを実行不可能であると判定する（ステップＳ１４：Ｎｏ）。実行不可能と判断されてからカット指示ＣＣが来れば、カット指示ＣＣが来るまでに第１のデータ記憶領域１０５ａに展開された印刷データに基づき片面印刷を実行する（ステップＳ１７）。
また、画像データ印刷指示ＣＡを受信することなく、カット指示ＣＣを受信した場合も、第１のデータ記憶領域１０５ａに展開された印刷データに基づき片面印刷を実行する（ステップＳ１７）。
【００３７】
図６は、本処理による片面印刷による印刷結果の一例を示す図である。この例は、印刷結果１（第１のデータ記憶領域に展開された印刷データ）のみを連続紙３０の表面に印刷して、カットしたものである。本処理では片面印刷を行いゴロは印刷されず、連続紙片３０ａは従来の片面印刷処理と同様の長さとなる。
【００３８】
このように、本実施の形態の印刷装置１０によれば、ホストコンピュータ２０から送信される指示であり、画像データ記憶部１０７に記憶されている画像データを印刷する画像データ印刷指示ＣＡを実行可能と判定するまで、ホストコンピュータ２０から送信される印刷データをデータ記憶部１０５の第１のデータ記憶領域１０５ａに展開する。画像データ印刷指示ＣＡを実行可能であると判定した場合には、印刷データをデータ記憶部１０５の第２のデータ記憶領域１０５ｂに展開し、第２のデータ記憶領域１０５ｂに印刷データを展開する。印刷開始指示であるカット指示ＣＣがくると、第１のデータ記憶領域１０５ａに展開した一方の面のデータと第２のデータ記憶領域１０５ｂに展開した他方の面のデータとの何れかにロゴを含んだ両面印刷を同時に実行する。
【００３９】
一方、画像データ印刷指示ＣＡを実行可能であると判定する前にカット指示ＣＣがあれば、第１の記憶領域１０５ａに展開した一方の面のデータに基づき片面印刷を実行する。したがって、印刷処理の実行前に印刷方法を設定しなくても、画像データ印刷指示ＣＡが実行可能か否かに応じて自在に切り替えることができる。言い換えれば、印刷データに画像データ印刷指示ＣＡが含まれていなければ、片面印刷を実行する。印刷データに画像データ印刷指示ＣＡが含まれていれば、さらに画像データ印刷指示ＣＡが実行可能か否かによって両面印刷と片面印刷とを切り替えることができる。
【００４０】
また両面印刷において画像データであるロゴマークを挿入することができ、より見やすい印刷結果を得ることができる。特に両面印刷の場合は、印刷対象物の両面に対して同時に印刷を行うので、印刷対象物の一方の面に印刷を行った後、印刷対象物の他方の面に印刷を行う場合と比べて、短時間で印刷を行うことができる。
【００４１】
また、カット指示ＣＣのみで印刷とカットを行うので、印刷開始指示とカット指示の両方を使う必要がなく、コマンド入力の省力化が図れる。
【００４２】
なお、複数種類の画像データを設けて、その中から任意のもの（少なくとも１つ）を選択できることにより、画像データ印刷の自由度を高めることができる。この場合、各画像データにキーコードを割り当てており、キーコードを選択して実行することにより、任意の画像を意図した用紙の箇所に印刷可能となる。
１トランザクション(一連のデータ送信からカット実行まで)において複数の画像データを印刷する場合でも、必ず最初の画像データ箇所で、表面から裏面に切り替わる。この場合、2番目以降の画像データ印刷指示を受信しても、裏面のまま変わらず、裏面側に2番目以降の画像データを印刷し続ける。
【図面の簡単な説明】
【００４３】
【図１】本発明の一実施の形態に係る印刷装置の概略構成を示すブロック図である。
【図２】図１に示す印刷装置の印刷処理を示すフローチャートである。
【図３】図１に示す印刷装置における両面印刷結果の一例を示す図である。
【図４】図１に示す印刷装置における両面印刷結果の他の例を示す図である。
【図５】図１に示す印刷装置における両面印刷結果の他の例を示す図である。
【図６】図１に示す印刷装置における片面印刷結果の一例を示す図である。
【符号の説明】
【００４４】
１０：印刷装置、２０：ホストコンピュータ、３０：連続紙、３０ａ：連続紙片、１０１：データ受信部、１０２：画像データ実行判定部、１０４：印刷データ展開部、１０５：データ記憶部、１０５ａ：第１のデータ記憶領域、１０５ｂ：第２のデータ記憶領域、１０７：画像データ記憶部、１０６：印刷部、１０６１ａ：第1の印刷ヘッド、１０６１ｂ：第2の印刷ヘッド、１０６２：カット部
【図１】
0005012458.tif 000002
【図２】
0005012458.tif 000003
【図３】
0005012458.tif 000004
【図４】
0005012458.tif 000005
【図５】
0005012458.tif 000006
【図６】
0005012458.tif 000007